(57)【要約】【課題】棚板の大きさを異ならせる複数種類の棚装置を構成する棚本体に対して、それぞれ支障なく組み合わせることが可能な仕切板の提供。【解決手段】棚装置１００の棚本体１０１に対し、一対の側板１０３、１０３間において取り外し可能に組み合わされる仕切板１である。仕切板１の後端部１ａには、第一掛合体１０と第二掛合体１１とが設けられている。第一掛合体１０は、棚本体１０１の上方より仕切板１を下方に移動させてなすこの仕切板１の組み合わせ動作により、背部材１０４に対し棚本体１０１の左右方向に沿った仕切板１の移動を許容させた状態で掛合する掛合部１０ａを備えている。第二掛合体１１は、仕切板１の組み合わせ動作により、棚板１０２の後端部１０２ｄにおける棚板１０２の下面１０２ｂに対し棚本体１０１の左右方向に沿った仕切板１の移動を許容させた状態で掛合する掛合部１１ａを備えている。【選択図】      図１
2004275572.tif 000002
【特許請求の範囲】
【請求項１】
棚板と、一対の側板と、この一対の側板間に亘る長尺の背部材とを備える棚本体からなる棚装置のこの棚本体に対し、一対の側板間において取り外し可能に組み合わされる仕切板であって、
仕切板の後端部には、第一掛合体と、この第一掛合体の下方に位置される第二掛合体とが設けられており、
第一掛合体は、棚本体の上方より仕切板を下方に移動させてなすこの仕切板の組み合わせ動作により、背部材に対し棚本体の左右方向に沿った仕切板の移動を許容させた状態で掛合する掛合部を備えていると共に、
第二掛合体は、前記仕切板の組み合わせ動作により、棚板の後端部におけるこの棚板の下面に対し棚本体の左右方向に沿った仕切板の移動を許容させた状態で掛合する掛合部を備えていることを特徴とする棚装置用仕切板。
【請求項２】
第一掛合体における掛合部が、下方において開放されて上方に向けて延び、下方から背部材を受け入れて上方にある内奥部をこの背部材の上端部に突き当てさせる凹部状をなすように形成してあることを特徴とする請求項１記載の棚装置用仕切板。
【請求項３】
第二掛合体における掛合部が、仕切板の下端部よりも下方に突き出す弾性片に棚板の前端部側に向けて突き出すように設けられた突部状をなすように形成してあることを特徴とする請求項１又は請求項２記載の棚装置用仕切板。
【請求項４】
仕切板の下端部の少なくとも一部に、棚板の上面に対して摩擦抵抗高く接する滑り止め体が設けられていることを特徴とする請求項１から請求項３のいずれか１項に記載の棚装置用仕切板。
【発明の詳細な説明】
【０００１】
【発明の属する技術分野】
この発明は、棚板と、一対の側板と、この一対の側板間に亘る背部材とを備える棚本体からなる棚装置のこの棚本体に対し組み合わせされて、この棚板上の空間を仕切る仕切板の改良に関する。
【０００２】
【従来の技術】
棚板と、一対の側板と、この一対の側板間に亘る支持部材とを備える棚装置に対し、取り外し可能に組み合わせ可能な仕切材として、特許文献１に示されるものがある。
【０００３】
かかる仕切材は、支持部材に引っかけられる湾曲フック部と、棚板の前端部に引っかけられるＬ型フック部とを備えており、これにより、仕切材が前後二箇所にまたがって棚装置に支持できるようになっている。
【０００４】
【特許文献１】
特開２００１−１２０３６８号公報
【０００５】
【発明が解決しようとする課題】
しかるに、特許文献１に示される仕切材は、前記Ｌ型フック部を棚板の前端部に引っかけるようにしているため、棚板の奥行き寸法、つまり、棚板の前後方向の寸法を異ならせる複数種類の棚装置に対しそれぞれ組み合わせることができるものではなかった。すなわち、棚板の前後方向の寸法が変われば、支持部材と棚板の前端部との間のストロークも変わってしまうため、特許文献１の仕切板にあっては、組み合わせ対象となる棚装置における棚板の寸法に合わせて支持部材もその棚装置専用のものとして用意せざるを得なかった。また、かかる仕切材は棚装置への組み合わせにあたり、支持部材に湾曲フック部を引っかけた後、この支持部材をいわば回動中心として仕切材を回動させてＬ型フック部を棚板の前端部に引っかけることを必要としており、棚装置への組み合わせをワンアクションでなすことができないものであった。
【０００６】
そこでこの発明は、棚板の大きさを異ならせる複数種類の棚装置を構成する棚本体に対して、それぞれ支障なくワンアクションで組み合わせることが可能な、汎用性のある仕切板を提供することを主たる目的とする。
【０００７】
【課題を解決するための手段】
前記目的を達成するために、請求項１記載の発明にあっては、棚装置用仕切板が、以下の（１）〜（４）の構成を備えたものとした。
（１）棚板と、一対の側板と、この一対の側板間に亘る長尺の背部材とを備える棚本体からなる棚装置のこの棚本体に対し、一対の側板間において取り外し可能に組み合わされる仕切板であって、
（２）仕切板の後端部には、第一掛合体と、この第一掛合体の下方に位置される第二掛合体とが設けられており、
（３）第一掛合体は、棚本体の上方より仕切板を下方に移動させてなすこの仕切板の組み合わせ動作により、背部材に対し棚本体の左右方向に沿った仕切板の移動を許容させた状態で掛合する掛合部を備えていると共に、
（４）第二掛合体は、前記仕切板の組み合わせ動作により、棚板の後端部におけるこの棚板の下面に対し棚本体の左右方向に沿った仕切板の移動を許容させた状態で掛合する掛合部を備えている。
【０００８】
かかる構成によれば、棚本体と仕切板とを分離させた状態においては、仕切板を棚本体の上方より下方に移動させる組み合わせ動作によって、かかる仕切板を棚本体に対しワンアクションでガタなく組み合わさせることができる。すなわち、かかる組み合わせ動作によって、第一掛合体の掛合部を背部材に掛合させ、かつ、第二掛合体の掛合部を棚板の後端部におけるこの棚板の下面に対し掛合させることができ、この両掛合体の掛合によって棚本体に対し仕切板の後端部を上下二箇所で組み付けることができる。これにより、仕切板を安定的に棚板上に位置づけさせることができる。
【０００９】
また、かかる仕切板は、その前端部側では棚本体側、つまり、棚板側に掛合されないことから、かかる仕切板は、棚板の前後寸法を異ならせる棚本体に対しても、それぞれ支障なく組み合わせることができる。
【００１０】
また、かかる仕切板は、前記両掛合部を棚本体の左右方向に沿った仕切板の移動を許容させた状態で棚本体側に掛合させることから、前記組み合わせ状態を保ったまま仕切板の組み合わせ位置を必要に応じて変えることもできる。
【００１１】
また、請求項２記載の発明にあっては、請求項１記載の棚装置用仕切板の第一掛合体における掛合部が、下方において開放されて上方に向けて延び、下方から背部材を受け入れて上方にある内奥部をこの背部材の上端部に突き当てさせる凹部状をなすように形成してあることを特徴としている。
【００１２】
かかる構成によれば、前記組み合わせ動作によって、背部材を掛合部にスムースに受け入れさせることができると共に、背部材に第一掛合体を上方から引っかけて、この第一掛合体を介して仕切板の後端部側を背部材に対し安定的に組み合わせることができる。
【００１３】
また、かかる掛合部は、背部材を下方から受け入れ、かつ、その内奥部を背部材の上端部に突き当てさせる凹部状をなすことから、この掛合状態を保ったまま仕切板は棚本体の左右方向に移動可能とされる。
【００１４】
また、請求項３記載の発明にあっては、請求項１又は請求項２記載の棚装置用仕切板の第二掛合体における掛合部が、仕切板の下端部よりも下方に突き出す弾性片に棚板の前端部側に向けて突き出すように設けられた突部状をなすように形成してあることを特徴としている。
【００１５】
かかる構成によれば、前記組み合わせ動作によって、棚板の後端部の上面に一旦掛合部を突き当てさせた後、この突き当てに伴って弾性片を弾性変形させてこの掛合部が棚板の後端部の下面側に入り込むことを許容させることができ、さらに、このように掛合部を入り込ませた後の弾性片の弾性復帰によって、掛合部を棚板の後端部の下面にワンタッチで掛合させることができる。これにより、棚板の後端部に第二掛合体を下方から引っかけて、この第二掛合体を介して仕切板の後端部側を棚板に対し安定的に組み合わせることができる。
【００１６】
また、かかる掛合部は、棚板の後端部の下面に下方から掛合される突部状をなすことから、この掛合状態を保ったまま仕切板は棚本体の左右方向に移動可能とされる。
【００１７】
また、請求項４記載の発明にあっては、請求項１から請求項３のいずれか１項に記載の棚装置用仕切板における仕切板の下端部の少なくとも一部に、棚板の上面に対して摩擦抵抗高く接する滑り止め体が設けられていることを特徴としている。
【００１８】
かかる構成によれば、棚本体に対し、第一掛合体と第二掛合体とにより仕切板を取り外し可能で、かつ、棚本体の左右方向に移動可能な状態で支持させることができると共に、この滑り止め体によってもズレなく支持させることができ、一層安定的に棚本体に対して仕切板を組み合わせることができる。
【００１９】
【発明の実施の形態】
以下、図１ないし図５に基づいて、この発明の典型的な実施の形態について、説明する。
【００２０】
なお、ここで図１は、この実施の形態にかかる仕切板１を棚本体１０１に組み合わせた状態を側面視の状態として示している。また、図２は、かかる仕切板１をその後端部１ａ（棚本体１０１の後部側）側から見た状態として、また、図３は、かかる仕切板１をその下端部１ｂ（棚板１０２の上面１０２ａに接する側）側から見た状態として、それぞれ示している。また、図４は、仕切板１を棚本体１０１に組み合わせる直前の状態を棚本体１０１の後部側から見た状態として、また、図５は、仕切板１を棚本体１０１に組み合わせた状態を棚本体１０１の後部側から見た状態として、それぞれ示している。
【００２１】
この実施の形態にかかる棚装置用仕切板は、棚板１０２と、一対の側板１０３、１０３と、この一対の側板１０３、１０３間に亘る長尺の背部材１０４とを備える棚本体１０１からなる棚装置１００のこの棚本体１０１に対し、取り外し可能で、かつ、棚板１０２の左右方向に移動可能な状態で、組み合わせされて、この棚板１０２上の空間を仕切るものである。
【００２２】
かかる棚装置１００を構成する棚本体１０１は、棚板１０２と、一対の側板１０３、１０３と、この一対の側板１０３、１０３間に亘る長尺の背部材１０４とから構成される。
【００２３】
かかる棚本体１０１における一対の側板１０３、１０３間にある棚板１０２の上面１０２ａが各種物品の載置面となる。また、背部材１０４は、一対の側板１０３、１０３間、典型的には、一対の側板１０３、１０３の一方の後端部１０３ａに一端を接合させると共に、一対の側板１０３、１０３の他方の後端部１０３ａに他端を接合させて、この一対の側板１０３、１０３間に亘るように備えられる。背部材１０４としては、長尺の棒状体、長尺の板状体などを用いることができる。
【００２４】
図示の例では、棚板１０２は、前端部１０２ｃと、後端部１０２ｄと、左右にそれぞれ前後方向に亙る側端部１０２ｅとを有し、上面１０２ａを前記載置面とした板状をなすように構成されている。
【００２５】
また、図示の例では、側板１０３は、かかる棚板１０２の側端部１０２ｅにその一面を接合させて、この棚板１０２に一体に組み付けられている。
【００２６】
また、図示の例では、背部材１０４は丸棒状をなす棒状体１０４ａとして構成されている。背部材１０４と棚板１０２の上面１０２ａとの間には、間隔が設けられている。
【００２７】
一方、仕切板１は、かかる棚本体１０１に対し、一対の側板１０３、１０３間において取り外し可能に組み合わされるものである。
【００２８】
また、かかる仕切板１の後端部１ａには、第一掛合体１０と、この第一掛合体１０の下方に位置される第二掛合体１１とが設けられている。
【００２９】
そして、第一掛合体１０は、棚本体１０１の上方より仕切板１を下方に移動させてなすこの仕切板１の組み合わせ動作により、背部材１０４に対し棚本体１０１の左右方向に沿った仕切板１の移動を許容させた状態で掛合する掛合部１０ａを備えている。
【００３０】
それと共に、第二掛合体１１は、前記仕切板１の組み合わせ動作により、棚板１０２の後端部１０２ｄにおけるこの棚板１０２の下面１０２ｂに対し棚本体１０１の左右方向に沿った仕切板１の移動を許容させた状態で掛合する掛合部１１ａを備えている。
【００３１】
これにより、この実施の形態にかかる棚装置用仕切板によれば、棚本体１０１と仕切板１とを分離させた状態においては、仕切板１を棚本体１０１の上方より下方に移動させる組み合わせ動作によって、かかる仕切板１を棚本体１０１に対しワンアクションでガタなく組み合わさせることができる。すなわち、かかる組み合わせ動作によって、第一掛合体１０の掛合部１０ａを背部材１０４に掛合させ、かつ、第二掛合体１１の掛合部１１ａを棚板１０２の後端部１０２ｄにおけるこの棚板１０２の下面１０２ｂに対し掛合させることができ、この両掛合体１０ａ、１１ａの掛合によって棚本体１０１に対し仕切板１の後端部１ａを上下二箇所で組み付けることができる。これにより、仕切板１を安定的に棚板１０２上に位置づけさせることができる。
【００３２】
また、かかる仕切板１は、その前端部側では棚本体１０１側、つまり、棚板１０２側に掛合されないことから、かかる仕切板１は、棚板１０２の前後寸法を異ならせる棚本体１０１に対しても、それぞれ支障なく組み合わせることができる。
【００３３】
また、かかる仕切板１は、前記両掛合部を棚本体１０１の左右方向に沿った仕切板１の移動を許容させた状態で棚本体１０１側に掛合させることから、前記組み合わせ状態を保ったまま仕切板１の組み合わせ位置を必要に応じて変えることもできる。
【００３４】
かかる仕切板１の第一掛合体１０における掛合部１０ａは、下方において開放されて上方に向けて延び、下方から背部材１０４を受け入れて上方にある内奥部１０ｂをこの背部材１０４の上端部１０４ｂに突き当てさせる凹部状をなすように形成しておくことができる。
【００３５】
このようにしておけば、前記組み合わせ動作によって、背部材１０４を掛合部１０ａにスムースに受け入れさせることができると共に、背部材１０４に第一掛合体１０を上方から引っかけて、この第一掛合体１０を介して仕切板１の後端部１ａ側を背部材１０４に対し安定的に組み合わせることができる。
【００３６】
また、かかる掛合部１０ａは、背部材１０４を下方から受け入れ、かつ、その内奥部１０ｂを背部材１０４の上端部に突き当てさせる凹部状をなすことから、この掛合状態を保ったまま仕切板１は棚本体１０１の左右方向に移動可能とされる。
【００３７】
また、仕切板１の第二掛合体１１における掛合部１１ａは、仕切板１の下端部１ｂよりも下方に突き出す弾性片１１ｅに棚板１０２の前端部１０２ｃ側に向けて突き出すように設けられた突部状をなすように形成しておくことができる。
【００３８】
このようにしておけば、前記組み合わせ動作によって、棚板１０２の後端部１０２ｄの上面に一旦掛合部１１ａを突き当てさせた後、この突き当てに伴って弾性片１１ｅを弾性変形させてこの掛合部１１ａが棚板１０２の後端部１０２ｄの下面１０２ｂ側に入り込むことを許容させることができ、さらに、このように掛合部１１ａを入り込ませた後の弾性片１１ｅの弾性復帰によって、掛合部１１ａを棚板１０２の後端部１０２ｄの下面１０２ｂにワンタッチで掛合させることができる。これにより、棚板１０２の後端部１０２ｄに第二掛合体１１を下方から引っかけて、この第二掛合体１１を介して仕切板１の後端部１ａ側を棚板１０２に対し安定的に組み合わせることができる。
【００３９】
また、かかる掛合部１１ａは、棚板１０２の後端部１０２ｄの下面１０２ｂに下方から掛合される突部状をなすことから、この掛合状態を保ったまま仕切板１は棚本体１０１の左右方向に移動可能とされる。
【００４０】
また、仕切板１の下端部１ｂの少なくとも一部に、棚板１０２の上面１０２ａに対して摩擦抵抗高く接する滑り止め体１２を設けておくこともできる。
【００４１】
このようにした場合、棚本体１０１に対し、第一掛合体１０と第二掛合体１１とにより仕切板１を取り外し可能で、かつ、棚本体１０１の左右方向に移動可能な状態で支持させることができると共に、この滑り止め体１２によってもズレなく支持させることができ、一層安定的に棚本体１０１に対して仕切板１を組み合わせることができる。
【００４２】
図示の例にあっては、仕切板１は、
（１）棚本体１０１との組み合わせ状態において、一対の側板１０３、１０３の一方に向き合う一方面と、一対の側板１０３、１０３の他方に向き合う他方面とを有すると共に、
（２）この組み合わせ状態において、棚板１０２の上面１０２ａに向き合わされる下縁部１ｃと、
（３）この下縁部１ｃの後端との間にほぼ直角をなす隅部を形成させる後縁部１ｄと、
（４）下縁部１ｃの前端と後縁部１ｄの上端との間に亘る上縁部１ｅとを備えている。
【００４３】
上縁部１ｅは、下縁部１ｃの前端側から後縁部１ｄの上端側に向かうに連れて次第に仕切板１の上下寸法を大きくさせるように傾斜した形状となっている。
【００４４】
また、下縁部１ｃ、上縁部１ｅ、および、後縁部１ｄによって囲繞された仕切板１の面部には、仕切板１の前後方向に長く、かつ、仕切板１の後端部１ａに近付くに連れて次第に上方に向かうように傾斜した穴上縁及び穴下縁を備えた穴１ｆが形成されており、この穴１ｆを利用して仕切板１を把持して、前記組み合わせ動作などを行い易いようにしてある。
【００４５】
また、仕切板１の下縁部１ｃは、その前端側と後端側との間において、上方に向けて湾曲しており、棚本体１０１との組み合わせ状態において、仕切板１は、その下縁部１ｃの前端側と、後端側とによって棚板１０２の上面１０２ａに接するようにしてある。
【００４６】
図示の例では、かかる仕切板１の下縁部１ｃの前端側に、滑り止め体１２が備えられている。図示の例では、かかる滑り止め体１２は、ゴム又は軟質のプラスチックからなるシート状体１２ａとして構成されており、このシート状体１２ａの一面を仕切板１の下縁部１ｃの前端側の面に接着などして止着させることにより、仕切板１の下縁部１ｃの前端側に滑り止め体１２を備え付けさせている。
【００４７】
また、図示の例では、第一掛合体１０は、下方に開放部１０ｅを向け、かつ、湾曲部１０ｆを上方に向けるようにして、Ｕ字を作る腕１０ｄの一方の外面部を仕切板１の後縁部１ｄの上端からやや下方の位置においてこの後縁部１ｄに一体に接合させた側面視の状態において倒Ｕ字状をなす湾曲片１０ｃによって構成されている。すなわち、この湾曲片１０ｃの内方が、前記掛合部１０ａとなるようにしてある。湾曲片１０ｃを構成する両腕１０ｄ、１０ｄの端部は、外向きに屈曲されており、前記組み合わせ動作にあたって、湾曲片１０ｃの内方に下方から背部材１０４を受け入れ易いようになっている。この開放部１０ｅ側から奥の位置では、湾曲片１０ｃを構成する両腕１０ｄ、１０ｄ間の間隔は、棚本体１０１を構成する丸棒状をなす背部材１０４の径寸法とほぼ等しくなるようにしてある。また、湾曲片１０ｃの内奥部、つまり、掛合部１０ａの内奥部１０ｂは、かかる背部材１０４の円弧に倣った弧状面として構成されている。図示の例では、湾曲片１０ｃにおける仕切板１に接合されていない腕１０ｄの内面部であって、この内奥部１０ｂ側に、小突起１０ｇが形成してあり、この小突起１０ｇの形成位置において、湾曲片１０ｃを構成する両腕１０ｄ、１０ｄ間の間隔が背部材１０４の径よりもやや小さくなるようにしてある。また、内奥部１０ｂとこの小突起１０ｇとの間のストロークが背部材１０４の半径よりもやや大きくなるようにしてある。そして、図示の例にあっては、湾曲片１０ｃ間に下方から背部材１０４を受け入れさせることに伴なうこの背部材１０４への小突起１０ｇの突き当たりによって、この小突起１０ｇの形成されている腕１０ｄ側をやや弾性変形させ、この弾性変形により背部材１０４の内奥部１０ｂへの進入を許容させると共に、内奥部１０ｂに背部材１０４の上端部１０４ｂが突き当てられる背部材１０４の入れ込み終了位置におけるかかる腕１０ｄ側の弾性復帰によって、背部材１０４に対し下方から小突起１０ｇを掛合させ、これにより受け入れられた背部材１０４に対しより安定的に第一掛合体１０を掛合させるようになっている。
【００４８】
また、図示の例では、第二掛合体１１は、上端を仕切板１における下縁部１ｃと後縁部１ｄとの接し合う隅部に一体に連接させて、下方に向けて延びる弾性片１１ｅと、この弾性片１１ｅの下端であって、棚板１０２の前端部１０２ｃ側に向けられた面部に形成された突部状をなす掛合部１１ａとから構成されている。
【００４９】
弾性片１１ｅは、板状をなすように構成されている。また、その板面を、棚本体１０１の左右方向に沿わせ、かつ、棚本体１０１の上下方向に沿わせるように、設けられている。
【００５０】
突部状をなす掛合部１１ａは、弾性片１１ｅの上端側に向いた掛合面１１ｂを有すると共に、その頂部１１ｄを挟んだこの掛合面１１ｂと反対の側に、この頂部１１ｄに向かうに連れて次第に掛合部１１ａを細める向きに傾斜した案内面１１ｃを有している。
【００５１】
そして、図示の例にあっては、前記第一掛合体１０の掛合部１０ａに背部材１０４が下方から入り込むように、棚本体１０１の上方から下方に向けて仕切板１を移動させてなすこの仕切板１の組み合わせ動作にあたって、棚板１０２の後端部１０２ｄの上面１０２ａに第二掛合体１１の掛合部１１ａにおける前記案内面１１ｃが突き当てられるようになっている。この組み合わせ動作によってこのように掛合部１１ａの案内面１１ｃが突き当てられると、この案内面１１ｃの傾斜によって弾性片１１ｅは棚板１０２の後端部１０２ｄから離れる向きに一旦弾性変形される。この後、前記組み合わせ動作を継続すると、掛合部１１ａの掛合面１１ｂを棚板１０２の後端部１０２ｄの下面１０２ｂに入り込ませる位置まで仕切板１は移動され、この位置で弾性片１１ｅは弾性復帰される。この弾性片１１ｅの弾性復帰によって掛合部１１ａの掛合面１１ｂが棚板１０２の後端部１０２ｄの下面１０２ｂに掛合される。すなわち、図示の例では、第二掛合体１１の掛合部１１ａの掛合面１１ｂと仕切板１の下縁部１ｃの後端との間のストロークが、棚板１０２の厚さ寸法とほぼ等しくなるようにされている。それと共に、第一掛合体１０の掛合部１０ａの内奥部１０ｂと第二掛合体１１の掛合部１１ａの掛合面１１ｂとの間のストロークが、背部材１０４の上端部１０４ｂと棚板１０２の後端部１０２ｄの下面１０２ｂとの間のストロークとほぼ等しくなるようにされている。
【００５２】
また、図示の例では、第一掛合体１０の掛合部１０ａを構成する湾曲片１０ｃは棚本体１０１の左右方向において仕切板１の厚さ寸法よりも広い幅を備えており、（図２）また、第二掛合体１１の弾性片１１ｅも棚本体１０１の左右方向において仕切板１の厚さ寸法よりも広い幅を備えており、（図２）第二掛合体１１の掛合部１１ａはこの弾性片１１ｅの幅方向に亘って形成されている。これにより、図示の例では、背部材１０４の上端部１０４ｂに対して第一掛合体１０の掛合部１０ａはその内奥部１０ｂにおいて棚本体１０１の左右方向において一定の幅をもって接し、かつ、棚板１０２の後端部１０２ｄの下面１０２ｂに対して第二掛合体１１の掛合部１１ａの掛合面１１ｂも棚本体１０１の左右方向において一定の幅をもって接するようになっている。これにより図示の例にあっては、仕切板１を棚本体１０１に組み合わせた状態を一層安定的に確保できるようになっている。
【００５３】
このように棚本体１０１に組み合わされた仕切板１は、仕切板１を上方に向けて引っ張り上げることで、ワンタッチで取り外すことができる。すなわち、このように仕切板１を引っ張り上げることにより、第二掛合体１１を構成する弾性片１１ｅを再び弾性変形させて棚板１０２の後端部１０２ｄとこの第二掛合体１１の掛合部１１ａとの掛合を解くことができると共に、第一掛合体１０の掛合部１０ａ内から背部材１０４を抜け出させることができる。図示の例では、棚板１０２の後端部１０２ｄの下面１０２ｂに対して第二掛合体１１の掛合部１１ａの掛合面１１ｂはその全体で接し掛合するようになっているが、この第二掛合体１１の掛合部１１ａの掛合面１１ｂを、この掛合部１１ａの頂部１１ｄに向かうに連れて次第にこの掛合部１１ａを細める向きに傾斜させるようにしておけば、この傾斜によりかかる取り外し操作において弾性片１１ｅを弾性変形させ易くできる。すなわちまた、この掛合面１１ｂの傾きを調整することで、第二掛合体１１の掛合部１１ａと棚板１０２の後端部１０２ｄとの掛合力を変えることができる。
【００５４】
なお、前記第一掛合体１０および第二掛合体１１の所定の部分に前記のような弾性変形特性を付与することは、典型的には、仕切板１をプラスチックの射出成型により形成することによって確保することができる。
【００５５】
【発明の効果】
この発明にかかる棚装置用仕切板によれば、棚板の大きさを異ならせる複数種類の棚装置を構成する棚本体に対して、それぞれ支障なく、取り外し可能にワンアクションで組み合わせることができる。
【図面の簡単な説明】
【図１】仕切板１の側面図
【図２】同右側面図
【図３】同底面図
【図４】同斜視図
【図５】棚本体１０１に仕切板１を組み合わせた状態を示す斜視図
【符号の説明】
１  仕切板
１ａ  後端部
１０  第一掛合体
１１  第二掛合体
１００  棚装置
１０１  棚本体
１０２  棚板
１０２ａ  上面
１０２ｂ  下面
１０２ｄ  後端部
１０４  背部材
【図１】
2004275572.tif 000003
【図２】
2004275572.tif 000004
【図３】
2004275572.tif 000005
【図４】
2004275572.tif 000006
【図５】
2004275572.tif 000007